(57)【要約】【課題】簡単に設定情報を盗まれるおそれがなく秘匿性が向上する通信システム、通信方法及び無線通信装置を提供する。【解決手段】第一の無線通信装置２は、無線ＬＡＮにより通信を行うために必要な設定情報の一部を示す第一の設定情報を備え、サーバ４は、設定情報の他部を示す第二の設定情報を備え、第二の無線通信装置３が、第一の無線通信装置２から、無線ＬＡＮにより通信を行うために必要な設定情報の一部を示す第一の設定情報を読み取り、第二の無線通信装置３が、ネットワークにより接続されたサーバ４から、設定情報の他部を示す第二の設定情報を取得し、第二の無線通信装置３が、取得した第一の設定情報と第二の設定情報とから復元した設定情報を自身の装置に設定する。【選択図】      図１
2014143524.tif 000002
【特許請求の範囲】
【請求項１】
無線ＬＡＮにより通信を行うために必要な設定情報の一部を示す第一の設定情報を備えた第一の無線通信装置と、
前記設定情報の他部を示す第二の設定情報を備えたサーバと、
前記第一の無線通信装置から前記第一の設定情報を読み取り、ネットワークにより接続された前記サーバから前記第二の設定情報を取得し、前記取得した前記第一の設定情報と前記第二の設定情報とから復元した前記設定情報を自身の装置に設定する第二の無線通信装置と、
を備えたことを特徴とする通信システム。
【請求項２】
前記第一の無線通信装置は、前記第一の設定情報を格納したＲＦ（Ｒａｄｉｏ  Ｆｒｅｑｕｅｎｃｙ）を使用したＩＣタグ（ＲＦＩＤタグ）を有し、
前記第二の無線通信装置は、前記第一の無線通信装置に接近することにより前記ＲＦＩＤタグから前記第一の設定情報を読み取る、
ことを特徴とする請求項１記載の通信システム。
【請求項３】
前記第二の無線通信装置は前記ＩＣタグからこのＩＣタグに格納された情報を読み取るＩＣタグリーダを有し、このＩＣタグリーダにより、前記第一の無線通信装置に前記ＩＣタグリーダを接近させることによりこのＩＣタグリーダが発生する電波の磁界により電源が供給された前記ＩＣタグが送出する前記第一の設定情報を読み取る、
ことを特徴とする請求項２記載の通信システム。
【請求項４】
前記第一の無線通信装置は、前記第一の設定情報を埋め込んだ二次元コードを有し、
第二の無線通信装置は、前記第一の無線通信装置に接近させて前記二次元コードから前記第一の設定情報を読み取る、
ことを特徴とする請求項１記載の通信システム。
【請求項５】
前記第二の無線通信装置は撮影装置を有し、前記撮影装置により前記二次元コードを撮影し撮影画像を処理することにより前記第一の設定情報を読み取る、
ことを特徴とする請求項４記載の通信システム。
【請求項６】
前記第二の無線通信装置は二次元コードリーダを有し、この二次元コードリーダを前記二次元コードに接近させて前記二次元コードからこの二次元コードに埋め込まれた前記第一の設定情報を読み取る、
ことを特徴とする請求項４記載の通信システム。
【請求項７】
前記第一の設定情報は、ＳＳＩＤ（Ｓｅｒｖｉｃｅ  Ｓｅｔ  ＩＤｅｎｔｉｆｉｅｒ）又は暗号キーであり、前記第二の設定情報は、暗号キー又はＳＳＩＤである、ことを特徴とする請求項１から６のいずれか一項に記載の通信システム。
【請求項８】
第二の無線通信装置が、第一の無線通信装置から、無線ＬＡＮにより通信を行うために必要な設定情報の一部を示す第一の設定情報を読み取り、
前記第二の無線通信装置が、ネットワークにより接続されたサーバから、前記設定情報の他部を示す第二の設定情報を取得し、
前記第二の無線通信装置が、前記取得した前記第一の設定情報と前記第二の設定情報とから復元した前記設定情報を自身の装置に設定する、
ことを特徴とする通信方法。
【請求項９】
無線ＬＡＮにより通信を行うために必要な設定情報の一部を示す第一の設定情報を読み取る読取部と、
前記設定情報の他部を示す第二の設定情報をネットワークによる接続先から取得する取得部と、
前記取得した前記第一の設定情報と前記第二の設定情報とから復元した前記設定情報を自身の装置に設定する設定部、
を備えたことを特徴とする無線通信装置。
【請求項１０】
前記読取部は、前記第一の設定情報を格納したＲＦを使用したＩＣタグ（ＲＦＩＤタグ）を有する第一の無線通信装置に接近することにより前記ＲＦＩＤタグから前記第一の設定情報を読み取る、
ことを特徴とする請求項９記載の無線通信装置。
【発明の詳細な説明】
【技術分野】
【０００１】
本発明は、通信システム、通信方法及び無線通信装置に関し、設定情報を設定する通信システム、通信方法及び無線通信装置に関する。
【背景技術】
【０００２】
無線ＬＡＮ（Ｌｏｃａｌ  Ａｒｅａ  Ｎｅｔｗｏｒｋ）通信を行う無線通信装置等の子機が無線アクセスポイント等の親機へ接続し通信を確立するためには親機との接続を確立するために必要な情報を示す設定情報を子機に設定する必要がある。設定情報は、無線アクセスポイントの識別子（ＳＳＩＤ：Ｓｅｒｖｉｃｅ  Ｓｅｔ  ＩＤｅｎｔｉｆｉｅｒ）、暗号化されたデータを解読するための暗号化キー等を含む。子機はこの設定情報を用いてＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１で規定された無線ＬＡＮ規格によって親機との通信を確立する。
【０００３】
設定情報を無線通信端末（子機）に容易に設定するための技術が特許文献１に開示されている。特許文献１に開示の技術は、設定情報をＱＲコード（登録商標）化し無線通信機器（アクセスポイント）の本体に表示する。そして、ＱＲコードリーダを備えた無線携帯端末（子機）が、この表示したＱＲコードをＱＲコードリーダにより読み込み、ＱＲコードに埋め込まれた設定情報を自身の端末に設定する。このように、特許文献１に開示の技術は、容易に設定情報を子機に設定することができる。しかし、特許文献１に開示の技術は、無線通信機器の本体に表示したＱＲコードを読み込むことにより設定情報を取得できるので、簡単に設定情報を盗まれるおそれがあるという問題がある。
【０００４】
この問題を解決するための技術が特許文献２に開示されている。特許文献２に開示の技術は、二次元コード（ＱＲコードに対応）を分割させて別々の印刷物にし、これらの印刷物を別々に管理するようにしたものである。このため、二次元コードの内容（例えば設定情報）を取得するためには、分割され別々に管理されたそれぞれの二次元コード（印刷物）を読み込む必要がある。このため、特許文献２に開示の技術によると、二次元コードに埋め込まれた内容を簡単には盗まれることがなくなり、特許文献１に開示の技術に対して秘匿性を向上させている。
【０００５】
また、特許文献３に開示されている技術も、特許文献２に開示の技術と同様に、ＱＲコードを２分割して別々の紙に印刷している。このため、ＱＲコードの内容（例えば設定情報）を取得するためには、この２枚の紙を正しく位置合せする必要がある。このため、１枚の紙しかない場合、又は紙を正しく位置合せできなかった場合には、正しくＱＲコードを認識できない。このため、１枚の紙にＱＲコードを印刷する場合に比べて、ＱＲコードの内容の漏えいを回避できる。
【先行技術文献】
【特許文献】
【０００６】
【特許文献１】特開２００６−１５７８１４号公報
【特許文献２】特開２００８−０５９３５８号公報
【特許文献３】特開２００９−１９０２１９号公報
【発明の概要】
【発明が解決しようとする課題】
【０００７】
上述した特許文献２に開示の技術は、二次元コードを分割して別々の印刷物にし、これらの印刷物を別々に管理するようにしたものである。このため、二次元コードの内容（例えば設定情報）を取得するためには、分割され別々に管理されたそれぞれの印刷物を読み込む必要があり、特許文献１に開示の技術に対して秘匿性が向上している。しかし、分割された二次元コードの印刷物が別々に管理されていても、これらの印刷物が同じ場所にあったり、例え別の場所であっても簡単に見つかる所であったりした場合は、これらの分割された二次元コードが読み取られ、その内容が盗まれるおそれがあるという問題がある。また、上述した特許文献３に記載の技術は、ＱＲコードを２分割して別々の紙に印刷するようにしたものである。このため、ＱＲコードの内容（例えば設定情報）を取得するためには、この２枚の紙を正しく位置合せする必要がある。このため、１枚の紙にＱＲコードを印刷する場合に比べて、ＱＲコードの内容の漏えいを回避できる。しかし、この２枚の紙を正しく位置合せするだけでよいので、正しく位置合せした場合には、これらの分割されたＱＲコードが読み取られ、その内容が盗まれるおそれがあるという問題がある。
【０００８】
本発明の目的は、上記課題を解決して、簡単に設定情報を盗まれるおそれがなく秘匿性の向上した通信システム、通信方法及び無線通信装置を提供することである。
【課題を解決するための手段】
【０００９】
本発明の通信システムは、無線ＬＡＮにより通信を行うために必要な設定情報の一部を示す第一の設定情報を備えた第一の無線通信装置と、前記設定情報の他部を示す第二の設定情報を備えたサーバと、前記第一の無線通信装置から前記第一の設定情報を読み取り、ネットワークにより接続された前記サーバから前記第二の設定情報を取得し、前記取得した前記第一の設定情報と前記第二の設定情報とから復元した前記設定情報自身の装置に設定する第二の無線通信装置と、を備えている。
【００１０】
本発明の通信方法は、第二の無線通信装置が、第一の無線通信装置から、無線ＬＡＮにより通信を行うために必要な設定情報の一部を示す第一の設定情報を読み取り、前記第二の無線通信装置が、ネットワークにより接続されたサーバから、前記設定情報の他部を示す第二の設定情報を取得し、前記第二の無線通信装置が、前記取得した前記第一の設定情報と前記第二の設定情報とから復元した前記設定情報を自身の装置に設定するようにしている。
【００１１】
本発明の無線通信装置は、無線ＬＡＮにより通信を行うために必要な設定情報の一部を示す第一の設定情報を読み取る読取部と、前記設定情報の他部を示す第二の設定情報をネットワークによる接続先から取得する取得部と、前記取得した前記第一の設定情報と前記第二の設定情報とから復元した前記設定情報を自身の装置に設定する設定部、を備えている。
【発明の効果】
【００１２】
本発明によれば、簡単に設定情報を盗まれるおそれがなく秘匿性の向上した通信システム、通信方法及び無線通信装置を提供することができる。
【図面の簡単な説明】
【００１３】
【図１】本発明の第１の実施の形態に係る通信システムの一例を示す図である。
【図２】本発明の第２の実施の形態に係る通信システムの一例を示す図である。
【図３】本発明の第２の実施の形態に係る通信システムの動作の一例を示すフローチャートである。
【図４】本発明の第３の実施の形態に係る通信システムの一例を示す図である。
【図５】本発明の第３の実施の形態に係る通信システムの動作の一例を示すフローチャートである。
【図６】本発明の第１の実施の形態から第３の実施の形態に係る第二の無線通信装置の一例を示す図である。
【発明を実施するための形態】
【００１４】
次に、本発明の実施の形態について図面を参照して説明する。
（第１の実施の形態）
図１は、本発明の第１の実施の形態に係る通信システムの一例を示す図である。
【００１５】
本実施の形態に係る通信システム１は、第一の無線通信装置２と、第二の無線通信装置３と、サーバ４とにより構成される。
【００１６】
第一の無線通信装置２は親機であり、例えば、無線ＬＡＮアクセスポイント、モバイルルータ等である。そして、第一の無線通信装置２は無線ＬＡＮにより通信を行うために必要な設定情報の一部を示す第一の設定情報を備えている。無線ＬＡＮによる通信とは、例えば、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１で規定された無線ＬＡＮ規格によった通信である。設定情報とは、例えば、無線アクセスポイントの識別子（ＳＳＩＤ：Ｓｅｒｖｉｃｅ  Ｓｅｔ  ＩＤｅｎｔｉｆｉｅｒ）と、暗号化されたデータを解読するための暗号化キーである。第一の設定情報とは、例えば、ＳＳＩＤ又は暗号キーである。
【００１７】
サーバ４は、設定情報のうちの第一の設定情報でない部分を示す第二の設定情報を備えている。第二の設定情報とは、例えば、暗号キー又はＳＳＩＤである。サーバ４は、例えばインターネット等のネットワークに接続されている。
【００１８】
第二の無線通信装置３は子機であり、例えば、スマートフォン、携帯電話、タブレット端末、携帯ゲーム機等である。第二の無線通信装置３は、読取部９、取得部１０、設定部１１を備えている（図６参照）。そして、第一の無線通信装置２から第一の設定情報を、例えば読取部９により読み取る。また、ネットワークにより接続されたサーバ４から第二の設定情報を例えば取得部１０により取得する。そして、この取得した第一の設定情報と第二の設定情報とから設定情報を合成して復元し、この復元した設定情報を自身の装置に、例えば設定部１１により設定する。第二の無線通信装置３は、設定情報を設定することにより、第一の無線通信装置２と無線ＬＡＮにより通信することができるようになる。
【００１９】
次に、本発明の第１の実施の形態に係る通信システムの動作を説明する。
【００２０】
第一の無線通信装置２が設定情報の一部を示す第一の設定情報を備え、サーバ４が設定情報の他部を示す第二の設定情報を備えている。そして、第二の無線通信装置３が、ユーザの操作に基づいて、第一の無線通信装置２から第一の設定情報を読み取る。
【００２１】
次に、第二の無線通信装置３が、ネットワークにより接続されたサーバ４にアクセスし、このサーバ４から第二の設定情報を取得する。
【００２２】
そして、第二の無線通信装置３が、この取得した第一の設定情報と第二の設定情報とから設定情報を合成して復元し、この復元した設定情報を自身の装置に設定する。第二の無線通信装置３は、設定情報を設定することにより、第一の無線通信装置２と無線ＬＡＮにより通信することができるようになる。
【００２３】
このように、本発明の第１の実施の形態によれば、設定情報の一部を示す第一の設定情報と、設定情報の他部を示す第二の設定情報とが、別の装置に備えられている。更に、この第二の設定情報は、ネットワークに接続されたサーバ４に備えられている。このため、第二の設定情報を取得するためには、ネットワークを介してサーバ４にアクセスする必要がある。このため、例え、第一の設定情報が盗まれたとしても、簡単には第二の設定情報は盗まれない。このように、本発明の第１の実施の形態によれば、簡単に設定情報を盗まれるおそれがなく秘匿性が向上する。
（第２の実施の形態）
図２は、本発明の第２の実施の形態に係る通信システムの一例を示す図である。
【００２４】
本第２の実施の形態は、第１の実施の形態の通信システムの動作をより具体化したものである。したがって、主に第１の実施の形態と相違する部分について説明する。
【００２５】
本実施の形態に係る通信システム１は、第一の無線通信装置２と、第二の無線通信装置３と、サーバ４とにより構成される。
【００２６】
第一の無線通信装置２は、第一の設定情報を格納した、例えば、ＲＦ（Ｒａｄｉｏ  Ｆｒｅｑｕｅｎｃｙ）を使用したＩＣタグ（ＲＦＩＤ（Ｒａｄｉｏ  Ｆｒｅｑｕｅｎｃｙ  ＩＤｅｎｔｉｆｉｅｒ）タグ５）を備えている。
【００２７】
第二の無線通信装置３は、例えば、ＩＣタグリーダ６等の情報読取部８を有する。そして、ユーザの操作に基づき第一の無線通信装置２に接近し、このＩＣタグリーダ６により、ＲＦＩＤタグ５からこのＲＦＩＤタグ５に格納された第一の設定情報を読み取る。
【００２８】
次に、本発明の第２の実施の形態に係る通信システムの動作を図３を参照して詳細に説明する。
【００２９】
図３は、本発明の第２の実施の形態に係る通信システムの動作の一例を示すフローチャートである。
【００３０】
図３のステップＳ１では、第二の無線通信装置３が、ユーザの操作に基づき第一の無線通信装置２に接近し、ＩＣタグリーダ６により、ＲＦＩＤタグ５からこのＲＦＩＤタグ５に格納された第一の設定情報を読み取り、例えば、格納部（不図示）に格納する。すなわち、ユーザの操作に基づき第二の無線通信装置３のＩＣタグリーダ６が第一の無線通信装置２に接近すると、ＩＣタグリーダ６が発生する電波の磁界によりＲＦＩＤタグ５に電源が供給されＲＦＩＤタグ５が動作を開始する。そして、ＲＦＩＤタグ５が第一の設定情報を電波により送出する。ＩＣタグリーダ６は、ＲＦＩＤタグ５が送出した第一の設定情報を受信して読み取り、第二の無線通信装置３がこの第一の設定情報を格納部（不図示）に格納する。
【００３１】
図３のステップＳ２では、第二の無線通信装置３が、ネットワークにより接続されたサーバ４にアクセスし、このサーバ４から第二の設定情報を取得し、格納部（不図示）に格納する。
【００３２】
図３のステップＳ３では、第二の無線通信装置３が、格納部から第一の設定情報と第二の設定情報とを読み出し、この読み出した第一の設定情報と第二の設定情報とから設定情報を合成して復元し、この復元した設定情報を自身の装置に設定する。
【００３３】
これにより、第二の無線通信装置３は、第一の無線通信装置２と無線ＬＡＮにより通信することができるようになる。
【００３４】
このように、本発明の第２の実施の形態によれば、設定情報の一部を示す第一の設定情報と、設定情報の他部を示す第二の設定情報とが、別の装置に備えられている。更に、この第二の設定情報は、ネットワークに接続されたサーバ４に備えられている。このため、第二の設定情報を取得するためには、ネットワークを介してサーバ４にアクセスする必要がある。このため、例え、第一の設定情報が盗まれたとしても、簡単には第二の設定情報は盗まれない。このように、本発明の第２の実施の形態によれば、簡単に設定情報を盗まれるおそれがなく秘匿性が向上する。
（第３の実施の形態）
図４は、本発明の第３の実施の形態に係る通信システムの一例を示す図である。
【００３５】
本第３の実施の形態は、第１の実施の形態の通信システムの動作をより具体化したものである。したがって、主に第１の実施の形態と相違する部分について説明する。
【００３６】
本実施の形態に係る通信システム１は、第一の無線通信装置２と、第二の無線通信装置３と、サーバ４とにより構成される。
【００３７】
第一の無線通信装置２は、第一の設定情報を埋め込んだ、例えば、ＱＲコード（登録商標）等の二次元コード７を、例えば、第一の無線通信装置２の筐体表面に張り付けたり、表示部（不図示）に表示したりしてある。
【００３８】
第二の無線通信装置３は、例えば、カメラ等の撮影装置や二次元コードリーダ等の情報読取部８を有する。そして、ユーザの操作に基づき第一の無線通信装置２に接近し、情報読取部８により、二次元コード７からこの二次元コード７に埋め込まれた第一の設定情報を読み取る。
【００３９】
次に、本発明の第３の実施の形態に係る通信システムの動作を図５を参照して詳細に説明する。
【００４０】
図５は、本発明の第２の実施の形態に係る通信システムの動作の一例を示すフローチャートである。
【００４１】
図５のステップＳ１では、第二の無線通信装置３が、ユーザの操作に基づき第一の無線通信装置２に接近し、情報読取部８により、二次元コード７からこの二次元コード７に埋め込まれた第一の設定情報を読み取り、例えば、格納部（不図示）に格納する。
【００４２】
すなわち、情報読取部８がカメラ等の撮影装置の場合は、ユーザの操作に基づきこの撮影装置を第一の無線通信装置２に接近させて、二次元コード７を撮影し撮影画像を処理することにより第一の設定情報を読み取る。また、情報読取部８が二次元コードリーダの場合は、ユーザの操作に基づきこの二次元コードリーダを第一の無線通信装置２に接近させて、二次元コード７を読み込み、読み込んだデータを処理することにより、第一の設定情報を読み取る。
【００４３】
図５のステップＳ２では、第二の無線通信装置３が、ネットワークにより接続されたサーバ４にアクセスし、このサーバ４から第二の設定情報を取得し、格納部（不図示）に格納する。
【００４４】
図５のステップＳ３では、第二の無線通信装置３が、格納部から第一の設定情報と第二の設定情報とを読み出し、この読み出した第一の設定情報と第二の設定情報とから設定情報を合成して復元し、この復元した設定情報を自身の装置に設定する。
【００４５】
これにより、第二の無線通信装置３は第一の無線通信装置２と無線ＬＡＮにより通信することができるようになる。
【００４６】
このように、本発明の第３の実施の形態によれば、設定情報の一部を示す第一の設定情報と、設定情報の他部を示す第二の設定情報とが、別の装置に備えられている。更に、第二の設定情報は、ネットワークに接続されたサーバ４に備えられている。このため、第二の設定情報を取得するためには、ネットワークを介してサーバ４にアクセスする必要がある。このため、例え、第一の設定情報が盗まれたとしても、簡単には第二の設定情報は盗まれない。このように、本発明の第３の実施の形態によれば、簡単に設定情報を盗まれるおそれがなく秘匿性が向上する。
【００４７】
上記の実施形態の一部または全部は、以下の付記のように記載され得るが、以下には限られない。
（付記１）
無線ＬＡＮにより通信を行うために必要な設定情報の一部を示す第一の設定情報を備えた第一の無線通信装置と、
前記設定情報の他部を示す第二の設定情報を備えたサーバと、
前記第一の無線通信装置から前記第一の設定情報を読み取り、ネットワークにより接続された前記サーバから前記第二の設定情報を取得し、前記取得した前記第一の設定情報と前記第二の設定情報とから復元した前記設定情報を自身の装置に設定する第二の無線通信装置と、
を備えたことを特徴とする通信システム。
（付記２）
前記第一の無線通信装置は、前記第一の設定情報を格納したＲＦ（Ｒａｄｉｏ  Ｆｒｅｑｕｅｎｃｙ）を使用したＩＣタグ（ＲＦＩＤタグ）を有し、
前記第二の無線通信装置は、前記第一の無線通信装置に接近することにより前記ＲＦＩＤタグから前記第一の設定情報を読み取る、
ことを特徴とする付記１記載の通信システム。
（付記３）
前記第二の無線通信装置は前記ＩＣタグからこのＩＣタグに格納された情報を読み取るＩＣタグリーダを有し、このＩＣタグリーダにより、前記第一の無線通信装置に前記ＩＣタグリーダを接近させることによりこのＩＣタグリーダが発生する電波の磁界により電源が供給された前記ＩＣタグが送出する前記第一の設定情報を読み取る、
ことを特徴とする付記２記載の通信システム。
（付記４）
前記第一の無線通信装置は、前記第一の設定情報を埋め込んだ二次元コードを有し、
第二の無線通信装置は、前記第一の無線通信装置に接近させて前記二次元コードから前記第一の設定情報を読み取る、
ことを特徴とする付記１記載の通信システム。
（付記５）
前記第二の無線通信装置は撮影装置を有し、前記撮影装置により前記二次元コードを撮影し撮影画像を処理することにより前記第一の設定情報を読み取る、
ことを特徴とする付記４記載の通信システム。
（付記６）
前記第二の無線通信装置は二次元コードリーダを有し、この二次元コードリーダを前記二次元コードに接近させて前記二次元コードからこの二次元コードに埋め込まれた前記第一の設定情報を読み取る、
ことを特徴とする付記４記載の通信システム。
（付記７）
前記第一の設定情報は、ＳＳＩＤ（Ｓｅｒｖｉｃｅ  Ｓｅｔ  ＩＤｅｎｔｉｆｉｅｒ）又は暗号キーであり、前記第二の設定情報は、暗号キー又はＳＳＩＤである、ことを特徴とする付記１から６のいずれか一項に記載の通信システム。
（付記８）
第二の無線通信装置が、第一の無線通信装置から、無線ＬＡＮにより通信を行うために必要な設定情報の一部を示す第一の設定情報を読み取り、
前記第二の無線通信装置が、ネットワークにより接続されたサーバから、前記設定情報の他部を示す第二の設定情報を取得し、
前記第二の無線通信装置が、前記取得した前記第一の設定情報と前記第二の設定情報とから復元した前記設定情報を自身の装置に設定する、
ことを特徴とする通信方法。
（付記９）
前記第一の無線通信装置は、前記第一の設定情報を格納したＲＦ（Ｒａｄｉｏ  Ｆｒｅｑｕｅｎｃｙ）を使用したＩＣタグ（ＲＦＩＤタグ）を有し、
前記第二の無線通信装置は、前記第一の無線通信装置に接近することにより前記ＲＦＩＤタグから前記第一の設定情報を読み取る、
ことを特徴とする付記８記載の通信方法。
（付記１０）
前記第二の無線通信装置は前記ＩＣタグからこのＩＣタグに格納された情報を読み取るＩＣタグリーダを有し、このＩＣタグリーダにより、前記第一の無線通信装置に前記ＩＣタグリーダを接近させることによりこのＩＣタグリーダが発生する電波の磁界により電源が供給された前記ＩＣタグが送出する前記第一の設定情報を読み取る、
ことを特徴とする付記９記載の通信方法。
（付記１１）
前記第一の無線通信装置は、前記第一の設定情報を埋め込んだ二次元コードを有し、
第二の無線通信装置は、前記第一の無線通信装置に接近させて前記二次元コードから前記第一の設定情報を読み取る、
ことを特徴とする付記８記載の通信方法。
（付記１２）
前記第二の無線通信装置は撮影装置を有し、前記撮影装置により前記二次元コードを撮影し撮影画像を処理することにより前記第一の設定情報を読み取る、
ことを特徴とする付記１１記載の通信方法。
（付記１３）
前記第二の無線通信装置は二次元コードリーダを有し、この二次元コードリーダを前記二次元コードに接近させて前記二次元コードからこの二次元コードに埋め込まれた前記第一の設定情報を読み取る、
ことを特徴とする付記１１記載の通信方法。
（付記１４）
前記第一の設定情報は、ＳＳＩＤ（Ｓｅｒｖｉｃｅ  Ｓｅｔ  ＩＤｅｎｔｉｆｉｅｒ）又は暗号キーであり、前記第二の設定情報は、暗号キー又はＳＳＩＤである、ことを特徴とする付記８から１３のいずれか一項に記載の通信方法。
（付記１５）
無線ＬＡＮにより通信を行うために必要な設定情報の一部を示す第一の設定情報を読み取る読取部と、
前記設定情報の他部を示す第二の設定情報をネットワークによる接続先から取得する取得部と、
前記取得した前記第一の設定情報と前記第二の設定情報とから復元した前記設定情報を自身の装置に設定する設定部、
を備えたことを特徴とする無線通信装置。
（付記１６）
前記読取部は、前記第一の設定情報を格納したＲＦを使用したＩＣタグ（ＲＦＩＤタグ）を有する第一の無線通信装置に接近することにより前記ＲＦＩＤタグから前記第一の設定情報を読み取る、
ことを特徴とする付記１５記載の無線通信装置。
（付記１７）
前記読取部は、前記ＩＣタグからこのＩＣタグに格納された情報を読み取るＩＣタグリーダを有し、このＩＣタグリーダにより、前記第一の無線通信装置に前記ＩＣタグリーダを接近させることによりこのＩＣタグリーダが発生する電波の磁界により電源が供給された前記ＩＣタグが送出する前記第一の設定情報を読み取る、
ことを特徴とする付記１６記載の無線通信装置。
（付記１８）
前記第一の設定情報を埋め込んだ二次元コードを有する前記第一の無線通信装置に接近させて前記二次元コードから前記第一の設定情報を読み取る、
ことを特徴とする付記１５記載の無線通信装置。
（付記１９）
前記読取部は撮影装置を有し、この撮影装置により前記二次元コードを撮影し撮影画像を処理することにより前記第一の設定情報を読み取る、
ことを特徴とする付記１８記載の無線通信装置。
（付記２０）
前記読取部は二次元コードリーダを有し、この二次元コードリーダを前記二次元コードに接近させて前記二次元コードからこの二次元コードに埋め込まれた前記第一の設定情報を読み取る、
ことを特徴とする付記１８記載の無線通信装置。
（付記２１）
前記第一の設定情報は、ＳＳＩＤ又は暗号キーであり、前記第二の設定情報は、暗号キー又はＳＳＩＤである、ことを特徴とする付記１５から２０のいずれか一項に記載の無線通信装置。
【符号の説明】
【００４８】
１  通信システム
２  第一の無線通信装置
３  第二の無線通信装置
４  サーバ
５  ＲＦＩＤタグ
６  ＩＣタグリーダ
７  二次元コード
８  情報読取部
９  読取部
１０  取得部
１１  設定部
【図１】
2014143524.tif 000003
【図２】
2014143524.tif 000004
【図３】
2014143524.tif 000005
【図４】
2014143524.tif 000006
【図５】
2014143524.tif 000007
【図６】
2014143524.tif 000008